(57)【特許請求の範囲】
【請求項１】
互いに交差する上下方向と左右方向と前後方向を有し、
前側胴回り部と、
後側胴回り部と、を有し、
前記前側胴回り部又は前記後側胴回り部の少なくとも一方は、前記左右方向に伸縮する弾性部材と、前記前後方向に貫通した孔部を備えた吸収性物品であって、
前記前側胴回り部及び前記後側胴回り部のうち、前記左右方向の収縮力が小さい方の一方側胴回り部よりも、前記左右方向の収縮力が大きい方の他方側胴回り部の方が前記孔部を多く備えていることを特徴とする吸収性物品。
【請求項２】
請求項１に記載の吸収性物品において、
前記前側胴回り部と前記後側胴回り部の前記左右方向の両端部は、それぞれ接合されていることを特徴とする吸収性物品。
【請求項３】
請求項１又は２に記載の吸収性物品において、
前記前側胴回り部及び前記後側胴回り部は、それぞれ前記孔部を備えることを特徴とする吸収性物品。
【請求項４】
請求項１から３のいずれか１項に記載の吸収性物品において、
前記他方側胴回り部は、前記前側胴回り部であることを特徴とする吸収性物品。
【請求項５】
請求項１から３のいずれか１項に記載の吸収性物品において、
前記他方側胴回り部は、前記後側胴回り部であることを特徴とする吸収性物品。
【請求項６】
請求項１から５のいずれか１項に記載の吸収性物品において、
前記他方側胴回り部は、不織布を有しており、
前記上下方向において、
前記孔部と隣接する前記弾性部材との間に高密度領域を有し、
前記高密度領域と前記弾性部材との間に外側領域を有しており、
前記高密度領域は、前記左右方向に所定の長さを有しており、
前記高密度領域の前記不織布の繊維の密度は、前記外側領域の前記不織布の繊維の密度よりも高いことを特徴とする吸収性物品。
【請求項７】
請求項６に記載の吸収性物品において、
前記他方側胴回り部は、前記前後方向について凹凸形状を有しており、
前記孔部は、非肌側に凸となる凸部の頂部を跨ぐように設けられていることを特徴とする吸収性物品。
【請求項８】
請求項１から７に記載の吸収性物品において、
吸収体を有しており、
前記上下方向において、前記他方側胴回り部と前記吸収体が重なる領域の長さは、前記一方側胴回り部と前記吸収体が重なる領域の長さよりも短いことを特徴とする吸収性物品。
【請求項９】
請求項１から８に記載の吸収性物品において、
吸収体を有しており、
前記他方側胴回り部のうちの、前記上下方向において前記吸収体と重なる領域における前記孔部の数は、前記他方側胴回り部のうちの、前記上下方向において前記吸収体と重なっていない領域における前記孔部の数よりも多いことを特徴とする吸収性物品。
【請求項１０】
請求項９に記載の吸収性物品において、
前記他方側胴回り部のうちの、前記上下方向において前記孔部を前記吸収体と重なる領域に前記孔部を設け、前記他方側胴回り部のうちの、前記上下方向において前記吸収体と重なっていない領域に前記孔部を設けないことを特徴とする吸収性物品。
【請求項１１】
請求項２から１０のいずれか１項に記載の吸収性物品において、
前記前側胴回り部と前記後側胴回り部の前記左右方向の両端部は、それぞれ接合されており、
自然状態において、前記前側胴回り部及び前記後側胴回り部が、前記一方側胴回り部側に凸形状であることを特徴とする吸収性物品。
【発明の詳細な説明】
【技術分野】
【０００１】
本発明は、吸収性物品に関する。
【背景技術】
【０００２】
従来、尿などの排泄物を吸収する吸収性物品として使い捨ておむつ等が知られている。例えば、文献１には、厚み方向に貫通した複数の貫通孔２５を形成することで、パンツ型吸収性物品１Ａの外装体２の通気性を向上させて、内部の蒸れを防止することが記載されている。
【先行技術文献】
【特許文献】
【０００３】
【特許文献１】特開２０１５−１０７２２３号
【発明の概要】
【発明が解決しようとする課題】
【０００４】
しかしながら、文献１に示すパンツ型吸収性物品１Ａの自然状態においては、弾性部材２３の収縮によって生じた皺によって貫通孔２５が隠れてしまったり、貫通孔２５が横方向Ｙに縮められたりして、パンツ型吸収性物品１Ａの着用者や着用させようとする者が、貫通孔２５を視認することができず、パンツ型吸収性物品１Ａが通気性の良い物品であることを外観から認識することができない恐れがあった。【０００５】
本発明は、上記のような従来の問題に鑑みてなされたものであって、その目的は、吸収性物品の着用者や着用させようとする者に、貫通孔を備えた吸収性物品の通気性の良さを印象づけやすくすることにある。
【課題を解決するための手段】
【０００６】
上記目的を達成するための主たる発明は、互いに交差する上下方向と左右方向と前後方向を有し、前側胴回り部と、後側胴回り部と、を有し、前記前側胴回り部又は前記後側胴回り部の少なくとも一方は、前記左右方向に伸縮する弾性部材と、前記前後方向に貫通した孔部を備えた吸収性物品であって、前記前側胴回り部及び前記後側胴回り部のうち、前記左右方向の収縮力が小さい方の一方側胴回り部よりも、前記左右方向の収縮力が大きい方の他方側胴回り部の方が前記孔部を多く備えていることを特徴とする吸収性物品である。
本発明の他の特徴については、本明細書及び添付図面の記載により明らかにする。
【発明の効果】
【０００７】
本発明によれば、吸収性物品を着用する際に、弾性部材を伸長すると、孔部を視認しやすくなる。特に、吸収性物品をパッケージから取り出したときなどの、自然状態においては、弾性部材が収縮して形成された皺によって、視認することが難しかった孔部を、吸収性物品の着用時に弾性部材を伸長させると視認できるようになるため、着用時に孔部の存在を知る驚きとともに通気性の良さをより印象づけやすくなる。
【図面の簡単な説明】
【０００８】
【図１】図１Ａは、本実施形態の吸収性物品の一例としての自然状態のおむつ１を前側から見た概略正面図である。図１Ｂは、自然状態のおむつ１を後側から見た概略背面図である。
【図２】図２は、展開した伸長状態のおむつ１を肌側から見た平面図である。
【図３】図３は、図２中のIII−III断面図である。
【図４】図４は、図２中のIV−IV断面図である。
【図５】図５Ａは、図１Ａ中の前側胴回り部２０のＶａ−Ｖａ断面の模式図である。図５Ｂは、図５Ａの状態から左右方向に伸長させたＶａ−Ｖａ断面の模式図である。
【図６】図６Ａは、図１Ｂ中の後側胴回り部３０のＶｂ−Ｖｂ断面の模式図である。図６Ｂは、図６Ａの状態から左右方向に伸長させたＶｂ−Ｖｂ断面の模式図である。
【図７】図７は、保護者等がおむつ１を着用させる方法の一例を示す図である。
【図８】図８は、おむつ１を左右方向の一端部側から見た概略側面図である。
【図９】図９は、開孔５０を拡大して説明する図である。
【発明を実施するための形態】
【０００９】
本明細書及び添付図面の記載により、少なくとも以下の事項が明らかとなる。  
互いに交差する上下方向と左右方向と前後方向を有し、前側胴回り部と、後側胴回り部と、を有し、前記前側胴回り部又は前記後側胴回り部の少なくとも一方は、前記左右方向に伸縮する弾性部材と、前記前後方向に貫通した孔部を備えた吸収性物品であって、前記前側胴回り部及び前記後側胴回り部のうち、前記左右方向の収縮力が小さい方の一方側胴回り部よりも、前記左右方向の収縮力が大きい方の他方側胴回り部の方が前記孔部を多く備えていることを特徴とする吸収性物品である。
【００１０】
このような吸収性物品によれば、吸収性物品を着用する際に、弾性部材を伸長すると、孔部を視認しやすくなる。特に、吸収性物品をパッケージから取り出したときなどの、自然状態においては、弾性部材が収縮して形成された皺によって、視認することが難しかった孔部を、吸収性物品の着用時に弾性部材を伸長させると視認できるようになるため、着用時に孔部の存在を知る驚きとともに通気性の良さをより印象づけやすくなる。
【００１１】
かかる吸収性物品において、前記前側胴回り部と前記後側胴回り部の前記左右方向の両端部は、それぞれ接合されていることが望ましい。
【００１２】
このような吸収性物品によれば、吸収性物品を着用させようとする者が、吸収性物品を着用させる際により確実に孔部を視認できるようにすることができる。
【００１３】
かかる吸収性物品において、前記前側胴回り部及び前記後側胴回り部は、それぞれ前記孔部を備えることが望ましい。
【００１４】
このような吸収性物品によれば、腹側と背側の両方の通気性を向上させることができる。
【００１５】
かかる吸収性物品において、前記他方側胴回り部は、前記前側胴回り部であることが望ましい。
【００１６】
このような吸収性物品によれば、吸収性物品を着用者に履かせようとする者が、着用者の腹側に面した状態で吸収性物品を履かせる場合に、孔部をより視認しやすくなる。
【００１７】
かかる吸収性物品において、前記他方側胴回り部は、前記後側胴回り部であることが望ましい。
【００１８】
このような吸収性物品によれば、吸収性物品を着用者に履かせようとする者が、着用者の背側に面した状態で吸収性物品を履かせる場合に、孔部をより視認しやすくなる。
【００１９】
かかる吸収性物品において、前記他方側胴回り部は、不織布を有しており、前記上下方向において、前記孔部と隣接する前記弾性部材との間に高密度領域を有し、前記高密度領域と前記弾性部材との間に外側領域を有しており、前記高密度領域は、前記左右方向に所定の長さを有しており、前記高密度領域の前記不織布の繊維の密度は、前記外側領域の前記不織布の繊維の密度よりも高いことが望ましい。
【００２０】
このような吸収性物品によれば、高密度領域の剛性は、外側領域の剛性よりも高いため、孔部の形状を維持しやすくし、孔部をより視認しやすくすることができる。
【００２１】
かかる吸収性物品において、前記他方側胴回り部は、前記前後方向について凹凸形状を有しており、前記孔部は、非肌側に凸となる凸部の頂部を跨ぐように設けられていることが望ましい。
【００２２】
このような吸収性物品によれば、繊維の密度が高い孔部の縁が着用者の肌に接する恐れを軽減させるため、吸収性物品の肌触りを向上させることができる。
【００２３】
かかる吸収性物品において、吸収体を有しており、前記上下方向において、前記他方側胴回り部と前記吸収体が重なる領域の長さは、前記一方側胴回り部と前記吸収体が重なる領域の長さよりも短いことが望ましい。
【００２４】
このような吸収性物品によれば、他方側胴回り部は、比較的に剛性が高い吸収体と上下方向において重なる領域が短いため、弾性部材を左右方向に伸長しやすくなるため、自然状態では視認が難しかった孔部を、吸収性物品の着用時には視認しやすくなる。
【００２５】
かかる吸収性物品において、吸収体を有しており、前記他方側胴回り部のうちの、前記上下方向において前記吸収体と重なる領域における前記孔部の数は、前記他方側胴回り部のうちの、前記上下方向において前記吸収体と重なっていない領域における前記孔部の数よりも多いことが望ましい。
【００２６】
このような吸収性物品によれば、上下方向において吸収体と重なる領域は、吸収性物品を着用させようとする者が、前側胴回り部の上部を掴んで着用させようとする場合でも、着用させようとする者の腕を脚回り開口部から胴回り開口部に入れて着用させようとする場合でも、着用させようとする者の手で掴む恐れが少ない領域であるため、孔部を視認できる状態を維持しやすくすることができる。
【００２７】
かかる吸収性物品において、前記他方側胴回り部のうちの、前記上下方向において前記孔部を前記吸収体と重なる領域に前記孔部を設け、前記他方側胴回り部のうちの、前記上下方向において前記吸収体と重なっていない領域に前記孔部を設けないことが望ましい。
【００２８】
このような吸収性物品によれば、上下方向において吸収体と重なる領域は、吸収性物品を着用させようとする者が、前側胴回り部の上部を掴んで着用させようとする場合でも、着用させようとする者の腕を脚回り開口部から胴回り開口部に入れて着用させようとする場合でも、着用させようとする者の手で掴む恐れが少ない領域であるため、孔部を視認できる状態をより維持しやすくすることができる。
【００２９】
かかる吸収性物品において、前記前側胴回り部と前記後側胴回り部の前記左右方向の両端部は、それぞれ接合されており、自然状態において、前記前側胴回り部及び前記後側胴回り部が、前記一方側胴回り部側に凸形状であることが望ましい。
【００３０】
このような吸収性物品によれば、自然状態において、より高い収縮力で縮められて形成した皺によって視認できなくなっていた孔部は、吸収性物品を着用する際に弾性部材を伸長することで孔部がより大きく開孔されるので、着用させる者の注意を引きやすくなる。
【００３１】
＝＝＝本実施形態に係る使い捨ておむつについて＝＝＝
＜＜＜使い捨ておむつ１の構成について＞＞＞
図１Ａは、本実施形態の吸収性物品の一例としての自然状態のおむつ１を前側から見た概略正面図である。図１Ｂは、自然状態のおむつ１を後側から見た概略背面図である。図２は、展開した伸長状態のおむつ１を肌側から見た平面図である。図３は、図２中のIII−III断面図である。図４は、図２中のIV−IV断面図である。
【００３２】
以下の説明では、図１の状態（自然状態）のおむつ１は、「上下方向」を有し、おむつ１の上下方向の胴回り開口部ＢＨ側を「上側」、股下側を「下側」という。また、おむつ１は、上下方向と交差する「左右方向」と、上下方向及び左右方向と交差する「前後方向」を有し、前後方向の前側を「腹側」、後側を「背側」ともいう。さらに、前後方向を「厚さ方向」ともいい、着用者に接触する側を「肌側」、その反対側を「非肌側」ともいう。また、図２の状態（展開状態及び伸長状態）でのおむつ１の長手方向を「長手方向」、長手方向の一方側を「腹側」、他方側を「背側」ともいい、長手方向の一方側の端部及び他方側の端部をそれぞれ「上側」、長手方向における略中央部Ｃ１０側を「下側」ともいう。図２等におけるＣ−Ｃは、左右方向中心を示している。
【００３３】
なお、おむつ１の「自然状態」とは、以下のように定義される。まず、製品として梱包されているおむつ１をパッケージから取り出した後、前側胴回り部２０及び後側胴回り部３０を左右方向の両外側に引っ張り、前側胴回り部２０及び後側胴回り部３０がそれぞれ各部材単体の寸法と一致又はそれに近い長さになるまで伸長させる。この伸長させた状態を１５秒継続させた後、おむつ１の伸長させた状態を解除して机等の平面に置く。そして、この平面に置いた状態で５分間経過させた状態がおむつ１の自然状態である。「展開状態」とは、前側胴回り部２０の側端部２０ａと後側胴回り部３０の側端部３０ａとの接合をそれぞれ分離し、開いておむつ１全体を平面的に展開した状態である。「伸長状態」とは、おむつ１（前側胴回り部２０及び後側胴回り部３０）を皺がなくなるまで伸長させた状態をいい、具体的には、おむつ１を構成する部材（前側胴回り部２０や後側胴回り部３０）の寸法がその部材単体の寸法と一致又はそれに近い長さになるまで伸長された状態をいう。
【００３４】
本実施形態にかかる使い捨ておむつ１（以下、「おむつ１」と呼ぶ。）は、主に乳幼児を着用対象とした所謂３ピースタイプのパンツ型おむつであり、着用者の股間に配置される吸収性本体１０と、着用者の腹側を覆う前側胴回り部２０と、背側を覆う後側胴回り部３０を有する。前側胴回り部２０と後側胴回り部３０は、それぞれ「胴回り部」ともいう。また、おむつ１は、保護者等の着用させる者（以下、「保護者等」ともいう。）によって、乳幼児等に着用させられる。
【００３５】
図２に示すように、展開状態のおむつ１は、前側胴回り部２０と後側胴回り部３０とが長手方向に間隔を空けて平行に並んだ状態で、これら胴回り部２０、３０同士の間に吸収性本体１０が架け渡されて、吸収性本体１０の縦方向の端部と各胴回り部２０、３０がそれぞれ接着剤等により接合固定されて、平面視略Ｈ形状となっている。そして、略Ｈ形状の展開状態から、長手方向の略中央部Ｃ１０を折り位置として吸収性本体１０を二つ折りするとともに、二つ折り状態で、互いに対向する前側胴回り部２０と後側胴回り部３０の左右方向の両端部、つまり、前側胴回り部２０の側端部（「端部」ともいう。）２０ａと後側胴回り部３０の側端部３０ａ（「端部」ともいう。）を溶着等で接合すると、前側胴回り部２０と後側胴回り部３０が環状に繋がって、図１Ａ及び図１Ｂに示すような胴回り開口ＢＨ及び一対の脚回り開口ＬＨ、ＬＨが設けられたパンツ型のおむつ１となる。
【００３６】
図２、図３及び図４に示すように、吸収性本体１０は、平面視略長方形状を有し、吸収性本体１０の長手方向は、上下方向に沿うように配置されている。また、吸収性本体１０は、吸収体１１と、吸収体１１を肌側から覆うトップシート１３と、吸収体１１を非肌側から覆う外装シート１４、バックシート１５とを備える。
【００３７】
吸収体１１は、尿等の排泄物を吸収することができる液体吸収性の吸収性コア１１ｃと、吸収性コア１１ｃの外周面を被覆するティッシュペーパー等の液透過性のコアラップシート１１ｒを有する。吸収性コア１１ｃは、所定の液体吸収性素材を所定形状の一例である平面視略砂時計形状に成形した成形体である。液体吸収性素材としては、パルプ繊維等の液体吸収性繊維や、高吸収性ポリマー（所謂ＳＡＰ）等の液体吸収性粒状物を例示できる。
【００３８】
トップシート１３は、吸収体１１から上下方向及び左右方向に突出する平面サイズの不織布等の液透過性のシートである。また、バックシート１５は、吸収体１１から上下方向及び左右方向に突出する平面サイズのシートであり、液不透過性の防漏シートである。バックシート１５に非肌側には、不織布の外装シート１４が設けられている。吸収性本体１０の吸収体１１よりも左右方向の両外側にそれぞれ上下方向に伸縮するレッグギャザー（不図示）を設けてもよい。また、吸収性本体１０の左右方向の外側から排泄物が漏れてしまう恐れを軽減させるために、吸収性本体１０の左右方向の端部に防漏壁部としての立体ギャザー（不図示）を設けてもよい。
【００３９】
図３に示すように、前側胴回り部２０は、厚さ方向の肌側から順に肌側シート２１及び非肌側シート２２が重ねられて接合されており、後側胴回り部３０は、厚さ方向の肌側から順に肌側シート３１及び非肌側シート３２が重ねられて接合されている。肌側シート２１、非肌側シート２２、及び肌側シート３１、非肌側シート３２は、いずれもスパンボンドやＳＭＳ（スパンボンド／メルトブローン／スパンボンド）等の不織布からなる平面視略矩形のシート部材からなる。本実施形態においては、肌側シート２１、３１にはＳＭＳ不織布を用いており、非肌側シート２２、３２には、スパンボンド不織布を用いている。スパンボンド不織布は、ポリプロピレン（ＰＰ）やポリエチレン（ＰＥ）等の熱可塑性樹脂の単独繊維や、ＰＰ及びＰＥの鞘芯構造等の複合繊維からなるものであってもよい。
【００４０】
肌側シート２１と非肌側シート２２、及び肌側シート３１と非肌側シート３２は、ホットメルト等の接着剤でそれぞれ接合されて前側胴回り部２０、及び後側胴回り部３０が形成されている。
【００４１】
図３に示すように、前側胴回り部２０の上側の端部は、肌触りの向上と耐久性向上のために、前側胴回り部２０の上端である前側上端２０ｔを起点として、非肌側シート２２が肌側の下方へ折り返されて、折り返し部分２２ｆを形成している。同様に、後側胴回り部３０の上部も、後側胴回り部３０の上端である後側上端３０ｔを起点として、非肌側シート３２が肌側の下方へ折り返されて、折り返し部分３２ｆを形成している。
【００４２】
また、前側胴回り部２０は、折り返し部分２２ｆの下端部から吸収性本体１０の腹側の上端部までを肌側から覆うように配置したシート部材２４を備えている。同様に、後側胴回り部３０は、折り返し部分３２ｆの下端部から吸収性本体１０の背側の上端部までを肌側から覆うように配置したシート部材３４を備えている。シート部材２４、３４は、不織布等からなる矩形状のシート部材である。このシート部材２４、３４によって、吸収性本体１０の上下方向の端部が着用者の肌と直接接触することを抑制することができ、着用時における胴回りの肌触りを良好なものにすることができる。また、シート部材２４、３４は、前側胴回り部２０及び後側胴回り部３０の上下方向の上側端部の強度を高めることができる。
【００４３】
さらに、前側胴回り部２０及び後側胴回り部３０は、肌側から非肌側に貫通する略円形状の孔部５０が、上下方向及び左右方向に所定の間隔で複数設けられている。孔部５０の詳細については、後述する。
【００４４】
前側胴回り部２０の肌側シート２１と非肌側シート２２の間には、左右方向に沿った糸ゴム等の複数の弾性部材２５、２５・・・が配置されている。弾性部材２５は、左右方向に伸長された状態で、肌側シート２１及び非肌側シート２２に、接着剤等により接合固定されている。複数の弾性部材２５、２５・・・は、上下方向に間隔を空けながら、並んで配置されている。
【００４５】
同様に、後側胴回り部３０の肌側シート３１と非肌側シート３２の間には、左右方向に沿った糸ゴム等の複数の弾性部材３５、３５・・・が配置されている。弾性部材３５は、左右方向に伸長された状態で、肌側シート３１及び非肌側シート３２に、接着剤等により接合固定されている。複数の弾性部材３５、３５・・・は、上下方向に間隔を空けながら、並んで配置されている。
【００４６】
弾性部材２５、３５は、前側胴回り部２０及び後側胴回り部３０に対して左右方向の伸縮性を付与し、前側胴回り部２０及び後側胴回り部３０に複数の皺を形成させている。前側胴回り部２０及び後側胴回り部３０に形成された皺の多くは、各シート２１、２２、３１、３２を左右方向に縮めて、上下方向に沿った形状となる。
【００４７】
なお、弾性部材２５、３５のうち、左右方向の中央部付近の吸収体１１と重複する領域を非連続として、伸縮力が作用しないようにしている。これにより、吸収体１１に作用する左右方向の収縮が抑制されて、吸収体１１を略平坦に維持しやすくなるため、排泄物の漏れ等を抑制することができる。
【００４８】
＜＜＜孔部５０について＞＞＞
以下、孔部５０について説明する。前側胴回り部２０及び後側胴回り部３０に設けられた複数の孔部５０は、それぞれ肌側シート２１、３１及び非肌側シート２２、３２を貫通しており、おむつ１の着用時において、肌側から非肌側への通気性を向上させる。前側胴回り部２０及び後側胴回り部３０の孔部５０は、それぞれ略円形状で、略同じ大きさである。図２に示すように、前側胴回り部２０には、左右において吸収性本体１０より外側、且つ、上下方向において吸収体１１と重なる領域１１ｆで、上下方向に隣接する弾性部材２５の間に、複数の孔部５０がそれぞれ千鳥状に配置されている。後側胴回り部３０には、左右方向において吸収性本体１０より外側、且つ、上下方向において吸収体１１と重なる領域１１ｄで、上下方向に隣接する弾性部材３５の間に複数の孔部５０がそれぞれ千鳥状に配置されている。このとき、各孔部５０は、弾性部材２５、３５を切断せず、弾性部材２５、３５は、孔部５０によって非連続とはされていないことが好ましい。おむつ１において、領域１１ｆと領域１１ｄの上下方向の長さは、略同じである。
【００４９】
以下、おむつ１の孔部５０の構成について具体的に説明する。「収縮力」とは、自然状態において、前側胴回り部２０又は後側胴回り部３０の収縮状態を維持する力である。より詳しく言うと、おむつ１を左右方向の任意の位置で前側胴回り部２０又は後側胴回り部３０をそれぞれ右半分と左半分とに分断した場合に、右半分と左半分との間で相互に作用する力が収縮力である。この収縮力が大きいほど自然状態でより収縮された状態となり、発生する皺の数も多くなる。
【００５０】
前側胴回り部２０と後側胴回り部３０の伸長状態における長さが同じ場合、どちらの胴回り部の収縮力が大きいかを判定するには、自然状態においてより縮んだ方が収縮力が大きい方の胴回り部であると判定すればよい。具体的には、図１Ａ及び図１Ｂに示すパンツ型の状態のおむつ１の前側胴回り部２０の側端部２０ａと後側胴回り部３０の側端部３０ａの接合を分離し、前側胴回り部２０及び後側胴回り部３０をそれぞれ左右方向の両外側に引っ張り、前側胴回り部２０及び後側胴回り部３０がそれぞれ各部材単体の寸法と一致又はそれに近い長さになるまで伸長させる。この伸長させた状態を１５秒間継続させた後、伸長させた状態を解除して机等の平面におき、この平面においた状態で５分間経過させた状態で、前側胴回り部２０と後側胴回り部３０のどちらがより縮んでいるかを判定する。本実施形態のおむつ１においては、前側胴回り部２０の方が後胴回り部３０よりもより縮んだことから、前側胴回り部２０の方が後側胴回り部３０よりも収縮力が大きく、後側胴回り部３０の方が前側胴回り部２０よりも収縮力が小さい。なお、後側胴回り部３０を「一方側胴回り部」ともいい、前側胴回り部２０を「他方側胴回り部」ともいう。
【００５１】
なお、テープ型の使い捨ておむつについての収縮力の大きさの比較は、前側胴回り部又は後側胴回り部のいずれか一方にのみ弾性部材を備えている場合には、当然ながら弾性部材を備えている胴回り部の方が、収縮力が大きいと判定することができる。
また、「収縮力が大きい方の胴回り部」は、「伸長状態の左右方向の長さと自然状態の左右方向の長さの差」を、「伸長状態の左右方向の長さ」で除した値が小さい方の胴回り部であると言うこともできる。
【００５２】
図５Ａは、図１Ａ中の前側胴回り部２０のＶａ−Ｖａ断面の模式図であり、図５Ｂは、図５Ａの状態から左右方向に伸長させたＶａ−Ｖａ断面の模式図である。図６Ａは、図１Ｂ中の後側胴回り部３０のＶｂ−Ｖｂ断面の模式図であり、図６Ｂは、図６Ａの状態から左右方向に伸長させたＶｂ−Ｖｂ断面の模式図である。図５Ａ、図５Ｂ、図６Ａ及び図６Ｂにおいて、肌側シート２１と非肌側シート２２、及び肌側シート３１と非肌側シート３２は、それぞれ一体化して示しており、その断面を左斜め下のハッチング領域で示している。図５Ａにおける図１Ａ中の前側胴回り部２０のＶａ−Ｖａ断面と図６Ａにおける図１Ｂ中の後側胴回り部３０のＶｂ−Ｖｂ断面は、左右方向の長さがほぼ同じ領域（単位領域）を示している。
【００５３】
通常、自然状態のおむつ１は、弾性部材２５及び弾性部材３５が左右方向に収縮することによって、前側胴回り部２０及び後側胴回り部３０はそれぞれ左右方向に収縮し、図５Ａ及び図６Ａに示すような前側胴回り部２０及び後側胴回り部３０は、それぞれ厚さ方向に起伏した複数の皺が形成される。
【００５４】
おむつ１は、左右方向の収縮力の小さい方の胴回り部（一方側胴回り部）よりも、左右方向の収縮力が大きい方の胴回り部（他方側胴回り部）の方がより多くの孔部５０を備えている。本実施形態においては、左右方向の収縮力の小さい方の後側胴回り部（一方側胴回り部）３０よりも、左右方向の収縮力の大きい方の前側胴回り部（他方側胴回り部）２０の方がより多くの孔部５０を備えている。
【００５５】
収縮力の大きさがより大きい前側胴回り部２０の単位領域当たりの皺の数は、収縮力の大きさがより小さい後側胴回り部３０の単位領域当たりの皺の数よりも多い。この多く形成された皺によって、図５Ａに示すように、自然状態においては、単位領域当たりの孔部５０の数が多い場合であっても、皺によって隠される孔部５０が設けられて、前側胴回り部２０を非肌側から見た場合に視認することができる孔部５０の数が少なくなる。また、前側胴回り部２０自体を左右方向に縮めることに伴い、孔部５０も左右方向に縮められて、孔部５０を視認しづらくなる。
【００５６】
自然状態のおむつ１を着用させようとする際には、保護者等は、胴回り部２０、３０を左右方向の外側に伸長させた状態で、胴回り開口部ＢＨから乳幼児の脚を入れて、おむつ１を引き上げる。具体的には、保護者等が胴回り部２０、３０の上部を掴んで左右方向の外側に広げて、胴回り開口部ＢＨから乳幼児の脚を入れるという方法や、図７に示すように、保護者等が脚回り開口部ＬＨから胴回り開口部ＢＨに向かって腕を入れて胴回り部２０、３０を左右方向の外側に広げた状態にして胴回り開口部ＢＨから乳幼児の脚を入れるという方法がある。図７は、保護者等が乳幼児におむつ１を着用させる方法の一例を示す図である。
【００５７】
保護者等が胴回り部２０、３０を左右方向の外側に伸長すると、前側胴回り部２０は、自然状態において形成されていた皺が左右方向に伸ばされて、皺がなくなったり、皺の数が減少したり、孔部５０が左右方向に広げられたりする。図５Ｂは、保護者等が前側胴回り部２０を左右方向に伸長させたことによって、Ｖａ−Ｖａ断面における皺がなくなった状態を示している。このように、図５Ａに示した自然状態のおむつ１は、非肌側から孔部５０を視認することが難しかったが、図５Ｂに示した前側胴回り部２０を左右方向に伸長させたおむつ１は、非肌側から孔部５０を容易に視認しやすくなる。つまり、保護者等は、おむつ１をパッケージから取り出した際には、おむつ１に備えられた孔部５０の存在に気付きにくく、通気性について意識をすることが少ない。続いて、乳幼児におむつ１を着用させようとする際には、これまで見えていなかった孔部５０が視界に入り、保護者等に驚きを与えやすくなる。一般的に、人間は、物事の変化について、ギャップが大きいほど強く印象に残りやすいという性質を有している。そのため、パッケージから取り出した状態のおむつ１の通気性の良さを感じない状態であればあるほど、その後、おむつ１を着用させる際に見つけた孔部５０の印象を強く感じ、おむつ１の通気性の良さを保護者等に印象づけやすくなる。
【００５８】
一方、収縮力の大きさがより小さい後側胴回り部２０の単位領域当たりの皺の数は、収縮力がより大きい前側胴回り部２０の単位領域当たりの皺の数よりも少ない。形成された皺の数が少ないことで、図６Ａに示すように、自然状態においては、単位領域当たりの孔部５０の数が少ない場合であっても、皺がより少ない後胴回り部３０を非肌側から見た場合に、皺によって隠される孔部５０が少ない。また、前側胴回り部２０の左右方向への収縮に比べて後側胴回り部３０の左右方向への収縮が小さいため、自然状態において、後側胴回り部材３０に設けられた孔部５０は左右方向への収縮が小さく、前側胴回り部２０に設けられた孔部５０よりも視認しやすい。
【００５９】
前側胴回り部２０と同様に、保護者等がおむつ１を乳幼児に着用させるために、胴回り部２０、３０を左右方向の外側に広げると、後側胴回り部３０は、自然状態において形成されていた皺が左右方向に伸ばされて、皺がなくなったり、皺の数が減少したりする。図６Ｂは、保護者等が後側胴回り部３０を左右方向に伸長させたことによって、Ｖｂ−Ｖｂ断面における皺がなくなった状態を示している。図６Ａに示した自然状態のおむつ１も、図６Ｂに示した後側胴回り部３０を左右方向に伸長させたおむつ１についても、非肌側から孔部５０をしやすい状態である。つまり、保護者等は、おむつ１を取り出した際に、おむつ１の後側胴回り部３０に設けられた孔部５０に気付きやすく、乳幼児におむつ１を着用させようとする際にも、自然状態において既に認識していた孔部５０を視認することになる。そのため、パッケージから取り出した状態で認識することができるおむつ１の通気性の良さと、おむつ１を着用させようとする際に認識することができるおむつ１の通気性の良さとのギャップが小さく、通気性が良いという印象を与えにくい。
【００６０】
また、通気性を向上させるためにはより多くの孔部５０を形成すればよいものの、前側同胴回り部２０及び後側胴回り部３０にそれぞれ非常に多くの孔部５０を設けると、着用しようとする際等に、孔部５０が裂けてしまったりして、前側胴回り部２０及び後側胴回り部３０が破損してしまう恐れがあった。
【００６１】
以上のことから、おむつ１を自然状態から着用させるために胴回り部２０、３０を左右方向に伸長すると、後側胴回り部３０よりも前側胴回り部２０の方が、自然状態では視認することができなかった孔部５０をより多く視認できるようになる。つまり、後側胴回り部３０に設けられた孔部５０よりも前側胴回り部２０に設けられた孔部５０の方が、視認できるようになった孔部５０の数が多くなり、孔部５０の数のギャップによって保護者等に対してより効果的に通気性の良さを印象付けやすくなる。また、破損の恐れを考慮すると限られた数の孔部５０について、効率的に孔部５０を配置する必要がある。前側胴回り部２０に設ける孔部５０の数をより多くし、後側胴回り部３０に設ける孔部５０の数をより少なくすることで、前側胴回り部２０及び後側胴回り部３０が破損してしまう等の不具合を抑止することができる。
【００６２】
おむつ１は、前側胴回り部２０により多くの孔部５０を設けているため、図７に示すように、乳幼児の正面側からおむつ１を着用させようとする際に、前側胴回り部２０の孔部５０を視認しやすくなり、通気性の良さを認識しやすくなる。
【００６３】
さらに、おむつ１のようにパンツ型の使い捨ておむつの前側胴回り部２０により多くの孔部５０を設けることで、保護者等がおむつ１を着用させる際により確実に孔部２０を視認しやすくなる。例えば、テープ型の使い捨ておむつの場合は、係止用テープを備えた後側胴回り部に弾性部材を備え、前側胴回り部には弾性部材を備えないことが多く、また、保護者等は、仰向けの状態の乳幼児に着用させることが一般的である。このとき、前側胴回り部より大きい収縮力を有する後側胴回り部に孔部をより多く設けても、保護者等は、テープ型のおむつを着用させる際に、仰向け状態の乳幼児の下に敷かれた状態となった後側胴回り部の孔部を視認することができない場合がある。この点、パンツ型のおむつ１においては、乳幼児の正面側から着用させる場合には、前側胴回り部２０の収縮力をより大きくして前側胴回り部２０により多くの孔部５０を設け、乳幼児の背面側から着用させる場合には、後側胴回り部３０の収縮力をより大きくして後側胴回り部３０により多くの孔部５０を設けることで、乳幼児におむつ１を着用させる際に、孔部５０が、より確実に保護者等の視界に入るようにさせることができる。
【００６４】
なお、図９に示すように、前側胴回り部２０の孔部５０より上側及び下側にそれぞれ高密度領域Ｈを有していることが好ましい。図９は、開孔５０を拡大して説明する図である。具体的には、前側胴回り部２０は、上下方向において、孔部５０と隣接する弾性部材２５との間に高密度領域Ｈを有し、高密度領域Ｈと弾性部材２５との間に外側領域Ｅを有し、高密度領域Ｈと孔部５０との間に低密度領域Ｌを有している。この高密度領域Ｈは、所定の長さを有し、その所定の長さは孔部５０の左右方向の長さよりも長い。また、高密度領域Ｈの不織布の繊維の密度は、外側領域Ｅの不織布の繊維の密度よりも高い。これによって、高密度領域の剛性が外側領域の剛性よりも高くなり、孔部５０の形状を維持しやすくすることができ、孔部５０をより視認しやすくすることができる。
【００６５】
高密度領域Ｈ及び外側領域Ｅは，孔部５０の形成過程において設けられる。まず、肌側シート２１、弾性部材２５、非肌側シート２２を順に重ねあわせて接着剤等で接合固定する。複数のピンと熱源を備えた第１回転体（不図示）が回転する間に、ピンと嵌合する複数の穴と熱源を備えた第２回転体（不図示）が反対方向に回転し、前側胴回り部２０を加熱しながら、第１回転体のピンを、前側胴回り部２０に向かって押し込んで、貫通させ、第２回転体の穴に嵌合させることによって、開孔５０は形成される。
【００６６】
さらに、前側胴回り部２０は、自然状態においては、複数の皺が形成されているため、前後方向について凹凸形状を有している状態となっている（図５Ａ）。複数の孔部５０のうち、図５Ａ中の孔部５０ｔのように、非肌側に凸となる凸部の頂部、つまり前側胴回り部２０に形成された皺の最も非肌側の頂部を、跨ぐように孔部５０が形成されることが好ましい。孔部５０の縁や周囲に設けられた高密度領域Ｈが着用者の肌に直接に接触する恐れを軽減させることができ、吸収性物品の肌触りを向上させることができる。
【００６７】
また、パンツ型のおむつ１は、前側胴回り部２０と後側胴回り部３０の収縮力が異なることによって、前側胴回り部２０の側又は後側胴回り部３０の側に凸形状を設けやすい。図７は、おむつ１を左右方向の一端部側から見た概略側面図である。図７には、自然状態のおむつ１を示しているが、パッケージから取り出した状態のおむつ１も同様である。自然状態のおむつ１は、収縮力がより大きい前側胴回り部２０の側がより縮められるため、収縮力がより小さい後側胴回り部３０の側に凸となるような形状となる。このとき、収縮力の大きい前側胴回り部２０により多くの孔部５０を設けると、自然状態においては、前側胴回り部２０側には凹部となり、孔部５０をより視認しづらい状態となっているが、おむつ１を着用させようと胴回り部２０、３０を左右方向に伸長させると、前側胴回り部２０の皺が伸ばされるのと同時に孔部５０が左右方向に開かれて視認しやすくなる。これによって、より自然状態と着用させようとする際との視認することができる孔部５０の数や大きさのギャップを感じやすくなり、保護者等に通気性の良さを印象付けやすくすることができる。
【００６８】
さらに、前側胴回り部２０のうちの、上下方向において吸収体１１と重なる領域１１ｆにおける孔部５０の数が、上下方向において吸収体１１と重ならない領域、つまり領域１１ｆより上側の領域における孔部５０の数よりも多いことが好ましい。また、前側胴回り部２０のうちの、上下方向において吸収体１１と重なる領域１１ｆのみに孔部５０を設けて、上下方向において吸収体１１と重ならない領域に孔部５０を設けないことがより好ましい。上下方向において吸収体１１と重なる領域１１ｆは、保護者等が胴回り部２０、３０の上部を掴んでおむつ１を着用させる場合でも、図７に示すように保護者等の腕を脚回り開口部ＬＨから胴回り開口部ＢＨに向かって入れておむつ１を着用させる場合でも、着用者等の手で掴む恐れが少ない領域である。そのため、領域１１ｆに設けられた孔部５０を保護者等の手で潰したり、隠したりする恐れを軽減させることができる。
【００６９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７０】
上述の実施形態においては、前側胴回り部２０及び後側胴回り部３０に、それぞれ孔部５０を形成したが、これに限られない。前側胴回り部２０又は後側胴回り部３０のいずれかのみに孔部５０を形成したものでもよい。ただし、前側胴回り部２０と後側胴回り部３０の両方に孔部５０形成することによって、おむつ１の通気性をより向上させることができる。
【００７１】
また、上述の実施形態においては、より収縮力の大きい前側胴回り部２０に孔部５０をより多く設けたが、これに限られない。後側胴回り部３０よりも前側胴回り部２０の収縮力を小さくし、前側胴回り部２０よりも後側胴回り部３０の孔部５０を多く設けてもよい。これによって、うつぶせ寝の状態の乳幼児やはいはいなどを行い動き回る乳幼児におむつ１を履かせる場合に、保護者等は、乳幼児の背面側からおむつ１を着用させると、後側胴回り部３０により多く形成された孔部５０を視認することができるため、通気性の良さを認識することができる。
【００７２】
さらに、上述の実施形態においては、前側胴回り部２０と吸収体１１が重なる領域１１ｆの上下方向の長さと、後側胴回り部３０と吸収体１１が重なる領域１１ｄの上下方向の長さを略同じとしたが、これに限られない。例えば、より収縮力が小さい後側胴回り部３０と吸収体１１とが重なる領域１１ｄの上下方向の長さよりも、より収縮力が大きい前側胴回り部２０と吸収体が重なる領域１１ｆの上下方向の長さを長くしてもよい（１１ｄ＞１１ｆ）。他の部分よりも比較的に剛性が高い吸収体１１と上下方向において重なる領域に設けられた孔部５０は、自然状態においても開孔した形状の状態を維持しやすくなるため、領域１１ｄ＞領域１１ｆとすることで、自然状態において前側胴回り部２０における視認可能な孔部５０の数をより減少させて、おむつ１を着用させようとする際に、自然状態では視認できなかったより多くの孔部５０を視認可能にさせ、保護者等に通気性の良さをより印象づけることができる。
【００７３】
上述の実施形態においては、前側胴回り部２０及び後側胴回り部３０に、円形状の孔部５０を設けたがが、これに限られない。例えば、矩形や楕円、星形等任意の形状の貫通孔を設けても良い。さらに、前側胴回り部２０と後側胴回り部３０とで、異なる形状の孔部５０を設けても良いし、異なる大きさの孔部５０を設けてもよい。
【００７４】
上記実施の形態に係るおむつ１は、乳幼児を着用対象としたが、これに限定されるものではなく、大人を着用対象としてもよい。また、上述の実施形態においては、吸収性物品の一例として所謂３ピースタイプの使い捨ておむつ１を例示したが、何らこれに限られない。例えば、前側胴回り部２０と後側胴回り部３０を一体として形成した所謂２ピースタイプの使い捨ておむつや、テープ式の使い捨ておむつでもよい。
【符号の説明】
【００７５】
１  おむつ（吸収性物品）、
１０  吸収性本体、１１  吸収体、
１１ｃ  吸収性コア、１１ｒ  コアラップシート、
１１ｆ  領域、１１ｄ  領域、
１３  トップシート、１４  外装シート、１５  バックシート、
２０  前側胴回り部（胴回り部、他方側胴回り部）、
２０ａ  側端部（端部）、２０ｔ  前側上端、
２１  肌側シート、２２  非肌側シート、２２ｆ  折り返し部分、
２４  シート部材、２５  弾性部材、
３０  後側胴回り部（胴回り部、一方側胴回り部）、
３０ａ  側端部（端部）、３０ｔ  後側上端、
３１  肌側シート、３２  非肌側シート、３２ｆ  折り返し部分、
３４  シート部材、３５  弾性部材、
５０  孔部、
Ｈ  高密度領域、Ｅ  外側領域、
ＢＨ  胴回り開口部、ＨＬ  脚回り開口部
【要約】
互いに交差する上下方向と左右方向と前後方向を有し、前側胴回り部（２０）と、後側胴回り部（３０）と、を有し、前記前側胴回り部（２０）又は前記後側胴回り部（３０）の少なくとも一方は、前記左右方向に伸縮する弾性部材（２５、３５）、前記前後方向に貫通した孔部（５０）を備えた吸収性物品（１）であって、前記前側胴回り部（２０）及び前記後側胴回り部（３０）のうち、前記左右方向の収縮力が小さい方の一方側胴回り部（３０）よりも、前記左右方向の収縮力が大きい方の他方側胴回り部（２０）の方が前記孔部（５０）を多く備えている。【図１】
0006337221.tif 000002
【図２】
0006337221.tif 000003
【図３】
0006337221.tif 000004
【図４】
0006337221.tif 000005
【図５】
0006337221.tif 000006
【図６】
0006337221.tif 000007
【図７】
0006337221.tif 000008
【図８】
0006337221.tif 000009
【図９】
0006337221.tif 000010